(57)【特許請求の範囲】
【請求項１】
アームと、該アームに回転自在に支持された回転体と、該回転体の側面に設けられて当該回転体の円周を複数種類に分割した位置マークを付けて表してなるピッチセット早見表と、前記回転体の外周部に周方向において等間隔で半径方向に沿って配設されるとともに前記ピッチセット早見表の所望の位置マークに対応して前記回転体外周面から突出されるマーキング部材とからなること、
を特徴とするピッチ墨出し治具。
【請求項２】
マーキング部材は、その先端部が回転体の外周面に出没自在にされていること、
を特徴とする請求項１に記載のピッチ墨出し治具。
【請求項３】
回転体の側面に、脱輪防止用のガイドフレームが設けられていること、
を特徴とする請求項１または２に記載のピッチ墨出し治具。
【発明の詳細な説明】
【０００１】
【発明の属する技術分野】
本発明は、例えば、鉄筋工事、鉄骨工事等の建築工事において、一定の間隔で墨出し（マーキング）をする際に使用される墨出し治具に関する。
【０００２】
【従来の技術】
従来、墨出し作業としては、図４に示すように、床配筋の場合（同図（Ａ））、柱配筋の場合（同図（Ｂ））、梁配筋の場合（同図（Ｃ））、鉄骨スタッドジベルの場合（同図（Ｄ））等があり、例えば、作業者Ａがスケール等を用いて、作業者Ａの片手でそれを支え、空いている手でチョーク等のマーキング部材により柱や床等にマーキングを行っている。
【０００３】
【発明が解決しようとする課題】
しかしながら、作業者Ａの両手を使用するので、特に柱等にマーキングする場合は、高所作業となり、両手の塞がった状態での作業が不安定であり、墜落や転倒のおそれがある。また、床配筋等の作業においては、立ったり座ったりの繰り返しとなって、作業者Ａには重労働となる。本発明に係るピッチ墨出し治具は、このような課題を解消するために提案されるものである。
【０００４】
【課題を解決するための手段】
本発明に係るピッチ墨出し治具の上記課題を解決するための要旨は、アームと、該アームに回転自在に支持された回転体と、該回転体の側面に設けられて当該回転体の円周を複数種類に分割した位置マークを付けて表してなるピッチセット早見表と、前記回転体の外周部に周方向において等間隔で半径方向に沿って配設されるとともに前記ピッチセット早見表の所望の位置マークに対応して前記回転体外周面から突出されるマーキング部材とからなることである。
【０００５】
前記マーキング部材は、その先端部が回転体の外周面に出没自在にされていること、；前記回転体の側面に、脱輪防止用のガイドフレームが設けられていることをふくむものである。
【０００６】
本発明に係るピッチ墨出し治具によれば、回転体をマーキング面に転がして行くだけで、墨出しができる。また、墨出しのピッチが変わる場合には、マーキング部材を、回転体の外周面から任意に突出させたり埋没させたりして、対応させることができる。更に、ガイドフレームを回転体に設けることで、例えば、マーキング中に回転する回転体が鉄筋から脱輪することがない。
【０００７】
【発明の実施の形態】
次に、本発明に係るピッチ墨出し治具について図面を参照して説明する。
【０００８】
本発明に係るピッチ墨出し治具１の構成は、図１に示すように、伸縮自在なアーム２と、該アーム２の先端部に回転自在に支持された、金属製若しくは合成樹脂製の回転体３と、該回転体３の外周部に周方向において等間隔で半径方向に沿って配設されたマーキング部材４とからなる。
【０００９】
前記アーム２は、例えば、ステンレス製で、段階的に伸縮させることができる。このアーム２の先端部は、直交方向に屈曲しており、それが回転軸となって、回転体３が回転自在に装着されている。また、アーム２には、詰め替え可能で着脱自在な、例えば、合成樹脂製のインクタンク５が設けられている。図１に示すように、前記インクタンク５の下側の端部は、回転体３の外周面に近接して配設されている。
【００１０】
前記回転体３の内部に配設されたマーキング部材４は、その先端部が回転体３の外周面に出没自在にされている。これには、マーキング部材４を収納している凹部において、当該マーキング部材４の後端部に、常に外側へ付勢する弾性材（コイルスプリング、トーションバネ、ゴム、スポンジなど）を配設し、マーキング部材４を前記弾性材の付勢力に抗して回転体外周面から埋没させた時に、その埋没位置で位置決めさせるロック装置が設けられる。
【００１１】
前記回転体３の側面には、図１に示すように、ピッチセット早見表７が設けられている。この早見表７には、円周を６分割したもの（図において、外側）、円周を４分割したもの（図において中側）、円周を３分割したもの（図において内側）を、位置マーク７ａを付けることで表してある。
【００１２】
そこで、例えば、回転体３の円周が６００ｍｍ（直径約φ１９１ｍｍ）であれば、マーキングピッチが、１００ｍｍと、１５０ｍｍと、２００ｍｍの３つのピッチに対応させることができるものである。よって、作業者は、求められるピッチに対応した、早見表７の位置マーク７ａの箇所のマーキング部材４の先端部４ａを、回転体外周面から突出させるようにすればよい。
【００１３】
前記マーキング部材４の先端部４ａは、例えば、ゴム製、スポンジ製等で形成されており、一方、この先端部４ａに摺接するインクタンク５の先端部５ａは、インクが適切に滲み出るようなメッシュとなっている。
【００１４】
また、このピッチ墨出し治具１を、細長い鉄筋に対して使用する場合には、安定して回転体３を転動させる為に、図２に示すように、回転体３の側面に、脱輪防止用のガイドフレーム６が設けられる。該ガイドフレーム６は、金属製若しくは硬質プラスチック製の薄い円盤体である。
【００１５】
このように形成されるピッチ墨出し治具１を使用するには、図３に示すように、例えば、マーキング対象物に対してアーム２を適切な長さにして、作業者Ａが、片手でアームを掴み、回転体３を転動させる。それにより、回転体３のマーキング部材４が、所定間隔毎にマークすることになる。マークのピッチを変える必要があるときには、前記マーキング部材４を回転体外周面に適宜出没させて、回転体３を転動させてマーキングするものである。
【００１６】
また、鉄筋等の細長い物にマーキングするには、前記ガイドフレーム６を回転体３に装着して、そのガイドフレーム６で鉄筋等を両側面で挟むようにして（遊嵌状態で）行うものである。これらのマーキング作業においては、作業者Ａが片手を使ってできるので、一方の手が空くこととなって、作業者Ａの安全性が確保されるものである。
【００１７】
【発明の効果】
以上説明したように、本発明に係るピッチ墨出し治具は、アームと、該アームに回転自在に支持された回転体と、該回転体の側面に設けられて当該回転体の円周を複数種類に分割した位置マークを付けて表してなるピッチセット早見表と、前記回転体の外周部に周方向において等間隔で半径方向に沿って配設されるとともに前記ピッチセット早見表の所望の位置マークに対応して前記回転体外周面から突出されるマーキング部材とからなるので、片手操作が可能となり、作業能率が大幅に向上するとともに、作業者の安全性も確保されると言う優れた効果を奏するものである。
【００１８】
前記マーキング部材は、その先端部が回転体の外周面に出没自在にされているので、各種のピッチに対応させることができる。更に、前記回転体の側面に、脱輪防止用のガイドフレームが設けられているので、鉄筋等の細長いマーキング対象物に対しても、回転体を脱輪させることがなく、確実なマーキング作業ができる。
【図面の簡単な説明】
【図１】本発明に係るピッチ墨出し治具の使用状態説明図である。
【図２】同本発明に係るピッチ墨出し治具の正面図である。
【図３】同本発明に係るピッチ墨出し治具の使用状態説明図である。
【図４】従来例に係る墨出し作業の様子を示す説明図（Ａ），（Ｂ），（Ｃ），（Ｄ）である。
【符号の説明】
１  ピッチ墨出し治具、２  アーム、３  回転体、４  マーキング部材、
５  インクタンク、６  ガイドフレーム、７  早見表。
【図１】
0003817439.tif 000002
【図２】
0003817439.tif 000003
【図３】
0003817439.tif 000004
【図４】
0003817439.tif 000005